(57)【要約】【課題】強度を向上させることができる、あるいは取り扱いを容易にすることができる照明器具を提供することである。【解決手段】実施形態によれば、モジュールと；第１のカバー部材と；第２のカバー部材と；を具備した照明器具が提供される。前記モジュールは、発光体と、枠と、を有する。前記発光体は、有機エレクトロルミネセンスにより発光する。前記枠は、光を透過する材料により形成され前記発光体を封入する。前記第１のカバー部材は、前記枠の剛性よりも高い剛性を有する材料により形成されている。前記第２のカバー部材は、前記枠の剛性よりも高い剛性を有する材料により形成されている。前記第２のカバー部材は、前記第１のカバー部材との間において前記モジュールを挟設する。【選択図】図２
2014150005.tif 000002
【特許請求の範囲】
【請求項１】
有機エレクトロルミネセンスにより発光する発光体と、光を透過する材料により形成され前記発光体を封入する枠と、を有するモジュールと；
光を透過する材料であって前記枠の剛性よりも高い剛性を有する材料により形成され、前記モジュールの一端側に配置された第１のカバー部材と；
光を透過する材料であって前記枠の剛性よりも高い剛性を有する材料により形成され、前記モジュールの他端側に配置されて前記第１のカバー部材との間で前記モジュールを挟設する第２のカバー部材と；
を具備した照明器具。
【請求項２】
前記モジュールは、外周部において防水処理を施された請求項１記載の照明器具。
【請求項３】
前記枠は、前記発光体が設置される凹部を有する第１の枠体と、前記第１の枠体の上に設けられ前記発光体を覆う第２の枠体と、を有し、
前記防水処理は、前記第１の枠体と前記第２の枠体との間に防水性のパッキンが挟設されてなる請求項２記載の照明器具。
【請求項４】
前記モジュールの取り外しは、前記第１のカバー部材および第２のカバー部材の少なくともいずれかを取り外して行われる請求項１〜３のいずれか１つに記載の照明器具。
【請求項５】
前記第１のカバー部材の周縁部と前記第２のカバー部材の周縁部とを互いに固定する外郭部材と；
前記外郭部材と、前記第１のカバー部材、前記第２のカバー部材および前記モジュールと、の間に設けられた防水性の弾性体と；
をさらに具備した請求項１〜４のいずれか１つに記載の照明器具。
【請求項６】
前記発光体は、消灯時に光を透過する請求項１〜５のいずれか１つに記載の照明器具。
【発明の詳細な説明】
【技術分野】
【０００１】
本発明の実施形態は、照明器具に関する。
【背景技術】
【０００２】
照明器具の光源として、発光面自体が発光する有機発光ダイオード（ＯＬＥＤ：Organic Light-Emitting Diode）を用いることが考えられる。例えば、透明電極として用いられる酸化インジウム錫（ＩＴＯ：Indium Tin Oxide）を電極に使用すると、非点灯時に透明となる有機発光ダイオードパネル（透明ＯＬＥＤパネル）が得られる。また、複数枚の透明ＯＬＥＤパネルを組み合わせると、非点灯時に透明となるＯＬＥＤ照明器具を形成することができる。  
しかし、ＯＬＥＤについては、強度が比較的低く、取り扱いが難しいという問題がある。ＯＬＥＤを照明器具に使用する場合には、強度の向上や取り扱いの容易性が求められる。
【先行技術文献】
【特許文献】
【０００３】
【特許文献１】特開２００９−２６６５０３号公報
【特許文献２】特開２０１１−２４９５４１号公報
【発明の概要】
【発明が解決しようとする課題】
【０００４】
本発明が解決しようとする課題は、強度を向上させることができる、あるいは取り扱いを容易にすることができる照明器具を提供することである。
【課題を解決するための手段】
【０００５】
実施形態によれば、モジュールと；第１のカバー部材と；第２のカバー部材と；を具備した照明器具が提供される。前記モジュールは、発光体と、枠と、を有する。前記発光体は、有機エレクトロルミネセンスにより発光する。前記枠は、光を透過する材料により形成され前記発光体を封入する。前記第１のカバー部材は、光を透過する材料であって前記枠の剛性よりも高い剛性を有する材料により形成され、前記モジュールの一端側に配置されている。前記第２のカバー部材は、光を透過する材料であって前記枠の剛性よりも高い剛性を有する材料により形成され、前記モジュールの他端側に配置されて前記第１のカバー部材との間で前記モジュールを挟設する。
【発明の効果】
【０００６】
本発明の実施形態によれば、強度を向上させることができる、あるいは取り扱いを容易にすることができる照明器具を提供することができる。
【図面の簡単な説明】
【０００７】
【図１】本発明の実施の形態にかかる照明器具が備えられた照明付テーブルを表す模式図である。
【図２】図１（ｂ）に表した領域Ａ１における模式的拡大図である。
【図３】本実施形態のモジュールを表す模式図である。
【図４】本実施形態のパネルを表す模式図である。
【図５】本実施形態のパネルおよびモジュールを表す模式的断面図である。
【図６】本実施形態のモジュールを表す模式的断面図である。
【図７】本実施形態の電気的接続の一例を例示する模式図である。
【発明を実施するための形態】
【０００８】
第１の発明は、有機エレクトロルミネセンスにより発光する発光体と、光を透過する材料により形成され前記発光体を封入する枠と、を有するモジュールと；光を透過する材料であって前記枠の剛性よりも高い剛性を有する材料により形成され、前記モジュールの一端側に配置された第１のカバー部材と、光を透過する材料であって前記枠の剛性よりも高い剛性を有する材料により形成され、前記モジュールの他端側に配置されて前記第１のカバー部材との間で前記モジュールを挟設する第２のカバー部材と；を具備した照明器具である。
【０００９】
この照明器具によれば、モジュールの剛性が第１のカバー部材の剛性および第２のカバー部材の剛性よりも高いため、発光体を保護することができる。また、清掃作業などのメンテナンス作業のときに加わる外力に耐えることができる。これにより、照明器具の強度を向上させることができ、取り扱いを容易にすることができる。
【００１０】
第２の発明は、第１の発明において、前記モジュールは、外周部において防水処理を施された照明器具である。
【００１１】
第３の発明は、第２の発明において、前記枠は、前記発光体が設置される凹部を有する第１の枠体と、前記第１の枠体の上に設けられ前記発光体を覆う第２の枠体と、を有し、前記防水処理は、前記第１の枠体と前記第２の枠体との間に防水性のパッキンが挟設されてなる照明器具である。
【００１２】
第２および３の発明の照明器具によれば、モジュールの外周部において防水処理を施すことにより、照明器具におけるモジュール以外の箇所で防水処理を施すことは不要となる。これにより、照明器具の構造を簡略化することができる。
【００１３】
第４の発明は、第１〜３のいずれか１つの発明において、前記モジュールの取り外しは、前記第１のカバー部材および第２のカバー部材の少なくともいずれかを取り外して行われる照明器具である。
【００１４】
この照明器具によれば、モジュールが第１のカバー部材と第２のカバー部材との間に挟設されていても、第１のカバー部材および第２のカバー部材の少なくともいずれかを取り外すことでモジュールをより容易に取り外すことができる。そのため、モジュールの交換作業をより容易に行うことができる。
【００１５】
第５の発明は、第１〜４のいずれか１つの発明において、前記第１のカバー部材の周縁部と前記第２のカバー部材の周縁部とを互いに固定する外郭部材と；前記外郭部材と、前記第１のカバー部材、前記第２のカバー部材および前記モジュールと、の間に設けられた防水性の弾性体と；をさらに具備した照明器具である。
【００１６】
この照明器具によれば、弾性体は、第１のカバー部材と第２のカバー部材との間に水分が浸入することを抑制することができる。これにより、発光体を水分から保護することができる。
【００１７】
第６の発明は、第１〜５のいずれか１つの発明において、前記発光体は、消灯時に光を透過する照明器具である。
【００１８】
この照明器具によれば、光を透過可能なモジュールと、光を透過可能なカバー部材（第１のカバー部材および第２のカバー部材）と、発光体と、を組み合わせることで、昼光が遮られることを抑え、照射面（光を放射する面）の側が暗くなることを抑えることができる。
【００１９】
以下、本発明の実施の形態について図面を参照しつつ説明する。なお、各図面中、同様の構成要素には同一の符号を付して詳細な説明は適宜省略する。  
図１は、本発明の実施の形態にかかる照明器具が備えられた照明付テーブルを表す模式図である。  
図２は、図１（ｂ）に表した領域Ａ１における模式的拡大図である。  
図１（ａ）は、本実施形態にかかる照明器具が備えられた照明付テーブルを表す模式的平面図である。図１（ｂ）は、図１（ａ）に表した切断面Ａ−Ａにおける模式的断面図である。図１（ｃ）は、図１（ａ）に表した切断面Ｂ−Ｂにおける模式的断面図である。図１（ｃ）では、テーブル２０を省略している。
【００２０】
本実施形態にかかる照明器具１０は、例えばテーブルなどに取り付けられ使用される。あるいは、本実施形態にかかる照明器具１０は、例えばショーウインドーやショーケースなどに取り付けられ使用される。あるいは、本実施形態にかかる照明器具１０は、天井窓などに取り付けられ使用される。このように、本実施形態にかかる照明器具１０は、種々の用途に用いられる。  
以下では、本実施形態にかかる照明器具１０がテーブルに取り付けられた場合を例に挙げて説明する。
【００２１】
図１および図２に表した照明付テーブル１は、照明器具１０と、テーブル２０と、電源ユニット３０と、支持部材４０と、を備える。図２に表したように、照明器具１０は、固定部材２１によりテーブル２０に固定されている。テーブル２０の一端部は、Ｌ字状を呈する。言い換えれば、テーブル２０の一端部は、略直角に屈折している。照明器具１０は、そのＬ字状の先端部にパッキン等の弾性部材を介して固定部材２１により固定されている。また、照明器具１０は、支持部材４０により支持されている。なお、固定部材２１のみで照明器具１０を支持できる場合には、支持部材４０は必ずしも設けられていなくともよい。照明器具１０は、パネル（発光体）１２０が枠１１０に挟設され封入されたモジュール１００を有する。
【００２２】
枠１１０は、光を透過可能な樹脂（例えば光を透過可能なアクリルやポリカーボネートなど）により形成されている。  
本願明細書において、「光を透過可能」あるいは「光を透過する」とは、透過率が１００パーセント（％）であることに限定されず、少なくとも可視光の波長を有する光に対して透過率がゼロではないことをいうものとする。
【００２３】
図１に表した照明器具１０は、複数のモジュール１００を有する。本実施形態では、５つのモジュール１００が横並びに、かつ互いに密接するように配置されている。但し、照明器具１０は、複数のモジュール１００を有することに限定されず、１つのモジュール１００を有していてもよい。図１（ａ）に表したように、モジュール１００は、例えば４つのパネル１２０を有する。但し、モジュール１００は、４つのパネル１２０を有することに限定されず、複数あるいは１つのパネル１２０を有していてもよい。以下では、モジュール１００が４つのパネル１２０を有する場合を例に挙げて説明する。
【００２４】
モジュール１００は、電源線３１を介して電源ユニット３０と接続されている。例えば、図２に表したように、モジュール１００に接続された電源線３１は、コネクタ３３を介して電源ユニット３０に接続された電源線３１と接続されている。電源ユニット３０は、収容ケース３４の内部に配置されている。電源ユニット３０は、テーブル２０の一部（ここではテーブル２０の裏面（下面））と収容ケース３４とで画定される空間に配置されてもよい。このような構造にすれば、電源ユニット３０がユーザーに触れることはなく、より安全である。万一、電源ユニット３０の交換が必要になったときには、より容易に交換作業を行うことができる。電源ユニット３０が電源線３１を介してパネル１２０に電圧を供給すると、例えば図１（ｂ）に表した矢印Ａ１１、矢印Ａ１２および矢印Ａ１３のように、パネル１２０は、主としてテーブル２０の側へ光を放射する。つまり、パネル１２０は、点灯時には主として一面の側（本実施形態ではテーブル２０の側）に光を放射する。なお、複数のパネル１２０は、互いに直列に接続されている。これについては、後に詳述する。
【００２５】
パネル１２０は、有機エレクトロルミネセンス（ＯＥＬ：Organic Electro-Luminescence）により発光するシート状のパネルであって、非点灯時に透明、すなわちパネル１２０を介して反対側を見ることが可能な有機発光ダイオード（ＯＬＥＤ：Organic Light-Emitting Diode）パネルを含む。そのため、パネル１２０は、電源ユニット３０から電圧を供給されていないとき（消灯時）には、光を透過する。
【００２６】
図２に表したように、照明器具１０は、モジュール１００と、第１のカバー部材１６１と、第２のカバー部材１６２と、外郭部材１６５と、弾性体１６７と、を有する。第２のカバー部材１６２は、第１のカバー部材１６１と離隔して設けられている。第１のカバー部材１６１は、モジュール１００の一端側（本実施形態ではテーブル２０の側）に配置されている。第２のカバー部材１６２は、モジュール１００の他端側（本実施形態ではテーブル２０とは反対の側）に配置されている。モジュール１００は、第１のカバー部材１６１と第２のカバー部材１６２との間に挟設されている。モジュール１００およびパネル１２０については、後に詳述する。
【００２７】
第１のカバー部材１６１および第２のカバー部材１６２は、光を透過可能なガラス、例えば強化ガラスにより形成されている。  
本願明細書において、「強化ガラス」とは、ガラスの表面に圧縮応力層がつくられ、外力の作用及び温度変化に対する強さが圧縮応力層を有していないガラスと比較して増加したガラスをいうものとする。
【００２８】
前述したように、枠１１０は、光を透過可能な樹脂により形成されている。これを考慮すると、第１のカバー部材１６１および第２のカバー部材１６２のそれぞれの剛性は、モジュール１００、例えば枠１１０の材料の剛性より高い。  
本願明細書において、「剛性」とは、例えば「ねじれ」や「ずれ」などに対する弾性をいい、物体が外力を受けて変形するときのその変形に抵抗する性質をいうものとする。第１のカバー部材１６１および第２のカバー部材１６２は、モジュール１００、例えば枠１１０の材料よりも「引っ掻き」などによってキズが生じにくい性質を有するとさらに望ましい。
【００２９】
第１のカバー部材１６１および第２のカバー部材１６２は、第１のカバー部材１６１と第２のカバー部材１６２との間にモジュール１００を挟設した状態で外郭部材１６５により周縁部を互いに固定されている。外郭部材１６５は、例えば金属により形成されている。図１（ａ）に表したように、複数のモジュール１００の全体の外形ならびに第１のカバー部材１６１および第２のカバー部材１６２が四角形（本実施形態では長方形）である場合には、外郭部材１６５は、第１のカバー部材１６１および第２のカバー部材１６２の外形の４辺に設けられる。
【００３０】
図２に表したように、本実施形態の外郭部材１６５は、基部１６５ａと、第１の側部１６５ｂと、第２の側部１６５ｃと、を有する。外郭部材１６５を長手方向にみたときに、第１の側部１６５ｂは、基部１６５ａの端部に接続され、基部１６５ａの主面に対して略直角に屈曲して形成されている。第２の側部１６５ｃは、基部１６５ａの他の端部（第１の側部１６５ｂが接続された端部とは反対側の端部）に接続され、基部１６５ａの主面に対して略直角に屈曲して形成されている。外郭部材１６５は、基部１６５ａと第１の側部１６５ｂと第２の側部１６５ｃとの間の空間（内側の空間）に第１のカバー部材１６１および第２のカバー部材１６２を収容することができる。言い換えれば、第１のカバー部材１６１の周縁部および第２のカバー部材１６２の周縁部は、第１のカバー部材１６１と第２のカバー部材１６２との間にモジュール１００を挟設した状態で外郭部材１６５の内側の空間に配置され互いに固定されている。
【００３１】
第１のカバー部材１６１、第２のカバー部材１６２およびモジュール１００と、外郭部材１６５と、の間には、弾性体１６７が設けられている。弾性体１６７は、第１のカバー部材１６１、第２のカバー部材１６２およびモジュール１００と、外郭部材１６５と、の間の隙間を埋めるパッキンであり、防水性を有する材料により形成されている。また、弾性体１６７は、独立単気泡のスポンジにより形成されている。弾性体１６７の材料として、例えばシリコーンやエチレンプロピレンゴム（ＥＰＴ）などが挙げられる。
【００３２】
なお、本実施形態では、第１のカバー部材１６１側の弾性体１６７の厚みは、第２のカバー部材１６２側の弾性体１６７の厚みよりも薄くともよい。これによれば、十分な弾性保持に必要な弾性を確保しつつ、ユーザーの目に触れるテーブル２０側において、弾性体１６７による厚みで第１の側部１６５ｂと第１のカバー部材１６１との間に比較的大きな段差が生じ外観を損ねることを抑制することができる。
【００３３】
第１のカバー部材１６１、第２のカバー部材１６２およびモジュール１００を組み立てる場合には、まず、第１のカバー部材１６１、第２のカバー部材１６２を外郭部材１６５の内側の空間に配置する。このとき、照明器具１０の上部に配置される外郭部材１６５は、まだ設置されていない。続いて、第１のカバー部材１６１と第２のカバー部材１６２との間にモジュール１００を圧入する。これにより、弾性体１６７は、第１のカバー部材１６１および第２のカバー部材１６２により圧縮され、防水性をより確保できる。
【００３４】
一方、例えばモジュール１００の交換作業などのためにモジュール１００を取り外す場合には、モジュール１００が第１のカバー部材１６１と第２のカバー部材１６２との間に圧入されているため、そのままではモジュール１００を取り外すことは困難である。これに対して、本実施形態では、まず、複数の外郭部材１６５のうちの何れか、例えば上部あるいは側部の外郭部材１６５、すなわち下部以外の外郭部材１６５を取り外したのち、第１のカバー部材１６１および第２のカバー部材１６２の少なくともいずれかを取り外す。第１のカバー部材１６１および第２のカバー部材１６２については、モジュール１００とは反対側の面がそれぞれ開放されている。そのため、第１のカバー部材１６１および第２のカバー部材１６２の少なくともいずれかの取り外し作業は、第１のカバー部材１６１と第２のカバー部材１６２との間に挟設されたモジュール１００の取り外し作業よりも容易である。また、第１のカバー部材１６１および第２のカバー部材１６２のいずれか一方を取り外しても、第１のカバー部材１６１および第２のカバー部材１６２のいずれか他方とモジュール１００とは、外郭部材１６５で支えられている。そのため、それらが倒れる等のおそれはない。続いて、第１のカバー部材１６１および第２のカバー部材１６２の少なくともいずれかを取り外した後に、モジュール１００を取り外す。
【００３５】
本実施形態によれば、モジュール１００が第１のカバー部材と第２のカバー部材１６２との間に挟設され、第１のカバー部材１６１および第２のカバー部材１６２のそれぞれの剛性がモジュール１００の剛性より高いため、パネル１２０を保護することができる。また、清掃作業などのメンテナンス作業のときに加わる外力に耐えることができる。これにより、照明器具１０の強度を向上させることができ、取り扱いを容易にすることができる。
【００３６】
また、第１のカバー部材１６１および第２のカバー部材１６２の少なくともいずれかを取り外すことでモジュール１００をより容易に取り外すことができる。そのため、モジュール１００の交換作業をより容易に行うことができる。  
また、照明器具１０がテーブル２０のＬ字状の先端部に取り付けられているため、照明器具１０自体の着脱も容易に行うことができる。  
また、第１のカバー部材１６１、第２のカバー部材１６２およびモジュール１００と、外郭部材１６５と、の間に、防水性を有する弾性体１６７が設けられている。そのため、第１のカバー部材１６１と第２のカバー部材１６２との間に水分が浸入することを抑制することができる。これにより、パネル１２０を水分から保護することができる。  
さらに、パネル１２０は、消灯時には光を透過する。そのため、光を透過可能なモジュール１００（枠１１０）と光を透過可能なカバー部材（第１のカバー部材１６１および第２のカバー部材１６２）とパネル１２０とを組み合わせることで、明るい昼間は昼光が遮られることを抑え、照射面（光を放射する面）の側が暗くなることを抑えることができる。
【００３７】
その一方で、周囲が暗くなったときは、パネル１２０を点灯させることにより、所望の範囲を光で照らすことができる。本実施形態では、パネル１２０は、ほぼ第１のカバー部材１６１側のみに光を出射する。そのため、パネル１２０の点灯時には、光が必要とされるテーブル２０側のみに光を供給することができる。
【００３８】
さらに、本実施形態のような光透過性のパネル１２０では、その構造上、見る方向によっては色の変化などが現れやすい。これに対して、本実施形態では、パネル１２０をカバー部材などで挟むことで、見る方向によって色が変化する現象を抑制する効果を期待することができる。
【００３９】
次に、モジュール１００およびパネル１２０について、図面を参照しつつ説明する。  
図３は、本実施形態のモジュールを表す模式図である。  
図４は、本実施形態のパネルを表す模式図である。  
図３（ａ）は、本実施形態のモジュールを表す模式的平面図である。図３（ｂ）は、図３（ａ）に表した切断面Ｃ−Ｃにおける模式的断面図である。図４（ａ）は、本実施形態のパネルを給電側から眺めた模式的平面図である。図４（ｂ）は、本実施形態のパネルを側面に対して垂直方向から眺めた模式的平面図である。図４（ｃ）は、本実施形態のパネルを発光側から眺めた模式的平面図である。
【００４０】
本実施形態のモジュール１００は、枠１１０と、パネル１２０と、接続体１３０と、を有する。図３（ｂ）に表したように、枠１１０は、第１の枠体１１１と、第２の枠体１１２と、を有する。枠１１０は、絶縁材料であって光を透過可能な材料（例えば光を透過可能なアクリルやポリカーボネートなど）により形成されている。第１の枠体１１１の厚さ（図３（ｂ）における上下方向の長さ）Ｄ１は、例えば約３ミリメートル（ｍｍ）以上５ｍｍ以下程度である。第２の枠体１１２の厚さ（図３（ｂ）における上下方向の長さ）Ｄ２は、例えば約２ｍｍ以上４ｍｍ以下程度である。
【００４１】
モジュール１００は、複数のパネル１２０が第１の枠体１１１と第２の枠体１１２との間に挟設され封入された構造を有する。具体的には、第１の枠体１１１は、凹部１１４を有する（図５（ｂ）および図５（ｃ）参照）。凹部１１４の深さは、パネル１２０の厚さと略同じである。パネル１２０は、第１の枠体１１１に設けられた凹部１１４に配置されている。凹部１１４は、例えば、平板を切削することにより第１の枠体１１１に形成される。
【００４２】
モジュール１００の外周部１０１には、防水処理が施されている。具体的には、第１の枠体１１１と第２の枠体１１２とは、第１の枠体１１１と第２の枠体１１２との間に防水性のパッキン１０５（図３（ｂ）参照）を挟設した状態で締結部材（例えばねじなど）１０３により互いに締結されている。あるいは、第１の枠体１１１と第２の枠体１１２とは、外周部１０１において防水性の接着剤により接着されていてもよい。あるいは、第１の枠体１１１と第２の枠体１１２との接合部に、コーキングが設けられていてもよい。
【００４３】
モジュール１００の外周部１０１に防水処理を施すことにより、照明器具１０におけるモジュール１００以外の箇所で防水処理を施すことは不要となり、照明器具１０の構造を簡略化することができる。
【００４４】
図４（ａ）および図４（ｃ）に表したように、パネル１２０は、第１の基板１２１と、第１の電極１２２と、第２の電極１２５と、第２の基板１２６と、を有する。第１の基板１２１および第２の基板は、透明な材料（例えば光を透過可能なガラスや樹脂材料）によりそれぞれ形成されている。第１の基板１２１の厚さ（図４（ｂ）における上下方向に長さ）Ｄ３は、２ｍｍ以下である。例えば、第１の基板１２１の厚さＤ３は、約０．６ｍｍ以上０．８ｍｍ以下程度である。第２の基板１２６の厚さ（図４（ｂ）における上下方向に長さ）Ｄ４は、２ｍｍ以下である。例えば、第２の基板１２６の厚さＤ４は、約０．６ｍｍ以上０．８ｍｍ以下程度である。
【００４５】
図５は、本実施形態のパネルおよびモジュールを表す模式的断面図である。  
図６は、本実施形態のモジュールを表す模式的断面図である。  
図７は、本実施形態の電気的接続の一例を例示する模式図である。  
図５（ａ）は、図３に表した切断面Ｄ−Ｄにおける本実施形態のパネルを表す模式的断面図である。図５（ｂ）および図５（ｃ）は、図３に表した切断面Ｄ−Ｄにおける本実施形態のモジュールを表す模式的断面図である。図６（ａ）は、図５（ｂ）に表した領域Ａ２の模式的拡大図である。図６（ｂ）は、図５（ｂ）に表した領域Ａ３の模式的拡大図である。なお、図５および図６に表したモジュールおよびパネルでは、第２の基板１２６を省略している。図７（ａ）は、本実施形態の電気的接続の一例を例示する模式的平面図である。図７（ｂ）は、図７（ａ）に表した切断面Ｅ−Ｅにおける模式的断面図である。
【００４６】
図５（ａ）に表したように、パネル１２０は、有機層１２８と、第１の導電体１２２ａと、第２の導電体１２５ａと、を有する。有機層１２８の少なくとも一部は、第１の電極１２２と第２の電極１２５との間に設けられている。  
パネル１２０は、第１の電極１２２および第２の電極１２５を介して電圧が供給されると、基板１２１の主面１２１ｃから外部へ光を放射することができる。すなわち、有機層１２８は、第１の電極１２２と第２の電極１２５との間に電圧が印加されると発光領域１２７（図３および図４参照）において発光し、第１の基板１２１の主面１２１ｃから外部へ光を放射することができる。なお、第２の電極１２５から光がほとんど放射されないようにすることもできる。
【００４７】
本実施形態では、第１の電極１２２は、アノード電極である。第１の電極１２２の少なくとも一部は、透明導電膜としての酸化インジウム錫（ＩＴＯ：Indium Tin Oxide）により形成されている。第１の電極１２２は、複数の層が積層された図示しない補助配線を有していてもよい。図示しない補助配線は、べた膜だけでは面内に広がりきれない電流をべた膜の面内に広げ、第１の電極１２２の導電性を向上させることができる。図示しない補助配線は、パネル１２０の面内での輝度ムラを抑制することができる。
【００４８】
本実施形態では、第２の電極１２５は、カソード電極である。第２の電極１２５は、例えばアルミニウム（Ａｌ）などの金属材料により形成されている。なお、第２の電極１２５は、第１の電極１２２と同様に、透明導電膜としての酸化インジウム錫（ＩＴＯ）により形成されていてもよい。
【００４９】
図５（ａ）に表したように、第１の導電体１２２ａは、基板１２１の第１の側面１２１ｄに設けられている。第１の導電体１２２ａは、導電体を有し、金属ペースト、カーボンペースト、導電性テープおよびはんだ材料の少なくともいずれかを含む。第１の導電体１２２ａは、第１の電極１２２と電気的に接続されている。
【００５０】
図５（ａ）に表したように、第２の導電体１２５ａは、基板１２１の第２の側面１２１ｅに設けられている。第２の導電体１２５ａは、導電性を有し、金属ペースト、カーボンペースト、導電性テープおよびはんだ材料の少なくともいずれかを含む。第２の導電体１２５ａは、第２の電極１２５と電気的に接続されている。  
第１の電極１２２と第２の電極１２５との間には、絶縁層１２４ｄが設けられている。
【００５１】
図５（ｂ）〜図６（ｂ）に表したように、接続体１３０は、第１の枠体１１１の凹部１１４の側壁１１４ａと、第１の枠体１１１の上面（第１の枠体１１１と第２の枠体１１２との接合面）１１５と、に設けられている。接続体１３０は、導電性を有し、金属ペースト、カーボンペースト、導電性テープおよびはんだ材料の少なくともいずれかを含む。なお、接続体１３０は、ペースト状あるいはテープ状のものに限定されず、例えば一般的なリード線のように線材を含むものでもよい。
【００５２】
パネル１２０が第１の枠体１１１の凹部１１４に配置された状態において、接続体１３０は、第３の導電体１５１を介して第１の導電体１２２ａと電気的に接続されている。第３の導電体１５１は、第１の導電体１２２ａと接続体１３０との間に設けられている。また、パネル１２０が第１の枠体１１１の凹部１１４に配置された状態において、接続体１３０は、第４の導電体１５３を介して第２の導電体１２５ａと電気的に接続されている。第４の導電体１５３は、第２の導電体１２５ａと接続体１３０との間に設けられている。
【００５３】
第３の導電体１５１および第４の導電体１５３は、金属ペースト、カーボンペースト、導電性テープおよびはんだ材料の少なくともいずれかを含む。第３の導電体１５１は、パネル１２０が第１の枠体１１１の凹部１１４に配置された後に、第１の導電体１２２ａと接続体１３０との間の隙間を埋めるために設けられたものである。第４の導電体１５３は、パネル１２０が第１の枠体１１１の凹部１１４に配置された後に、第２の導電体１２５ａと接続体１３０との間の隙間を埋めるために設けられたものである。なお、接続体１３０は、第３の導電体１５１および第４の導電体１５３を介することなく直接的に第１の導電体１２２ａおよび第２の導電体１２５ａのそれぞれと電気的に接続されていてもよい。
【００５４】
本実施形態によれば、パネル１２０は、第１の枠体１１１と第２の枠体１１２との間に挟設され封入された状態において、第１の導電体１２２ａと第２の導電体１２５ａと接続体１３０と第３の導電体１５１と第４の導電体１５３とにより枠１１０の外部の電源と電気的に接続され得る。また、複数のパネル１２０は、第１の枠体１１１と第２の枠体１１２との間に挟設され封入された状態において、第１の導電体１２２ａと第２の導電体１２５ａと接続体１３０と第３の導電体１５１と第４の導電体１５３とにより互いに電気的に接続され得る。そのため、例えばプリント配線などの特別な配線を別途設ける必要がなく、換言すれば透明な枠１１０を備えるモジュール１００の美観を損なうことなく、モジュール１００、枠１１０およびパネル１２０の厚さを抑えつつパネル１２０の電気的な接続を改善することができる。この効果は、本実施形態のパネル１２０が光透過性のパネルであることにより、全体として透明に統一されたモジュール１００において、有意なものの１つである。
【００５５】
また、パネル１２０をモジュール化することにより、パネル１２０を保護し、パネル１２０の破損を抑制することができる。これにより、複数のパネル１２０の交換時の取り扱いを容易にすることができる。  
さらに、厚さを抑えられたパネル１２０が枠１１０の中に封入されているため、モジュール１００の取り扱いや複数のモジュール１００の電気的な接続がより容易となる。そのため、より大きな面積の透明ＯＬＥＤ照明器具１０を提供することができる。
【００５６】
図３に表した第１のパネル１２０ａの第１の電極１２２は、第１の導電体１２２ａおよび接続体１３０を介して電源ユニット３０の陽極３５に接続されている。本実施形態では、同様のモジュール１００が横並びに複数（例えば、５セット）配置されるため、電源ユニット３０は、モジュール１００の下側に配置される。なお、図５（ｂ）、図５（ｃ）および図６（ａ）に関して前述したように、第１の導電体１２２ａと接続体１３０との間には、第３の導電体１５１が設けられていてもよい。
【００５７】
続いて、第１のパネル１２０ａの第２の電極１２５は、第２の導電体１２５ａ、接続体１３０および第１の導電体１２２ａを介して第２のパネル１２０ｂの第１の電極１２２に接続されている。図５（ｂ）、図５（ｃ）および図６（ｂ）に関して前述したように、第２の導電体１２５ａと接続体１３０との間には、第４の導電体１５３が設けられていてもよい。
【００５８】
続いて、第２のパネル１２０ｂの第２の電極１２５は、第２の導電体１２５ａ、接続体１３０および第１の導電体１２２ａを介して第３のパネル１２０ｃの第１の電極１２２に接続されている。続いて、第３のパネル１２０ｃの第２の電極１２５は、第２の導電体１２５ａ、接続体１３０および第１の導電体１２２ａを介して第４のパネル１２０ｄの第１の電極１２２に接続されている。続いて、第４のパネル１２０ｄの第２の電極１２５は、第２の導電体１２５ａおよび接続体１３０を介して電源ユニット３０の陰極３７に接続されている。
【００５９】
これにより、第１のパネル１２０ａと、第２のパネル１２０ｂと、第３のパネル１２０ｃと、第４のパネル１２０ｄと、電源ユニット３０と、の間において直列回路が形成される。電源ユニット３０がモジュール１００に電圧を供給すると、第１のパネル１２０ａと、第２のパネル１２０ｂと、第３のパネル１２０ｃと、第４のパネル１２０ｄと、は基板１２１の主面１２１ｃ（図５（ａ）参照）から外部へ光を放射する。
【００６０】
なお、図３（ａ）に表した電気的接続の形態は一例であり、本実施形態の電気的接続はこれだけに限定されるわけではない。例えば、図７（ａ）に表したように、接続体１３０により、互いに直列接続された第１のパネル１２０ａおよび第４のパネル１２０ｄと、互いに直列接続された第２のパネル１２０ｂおよび第３のパネル１２０ｃと、を並列接続してもよい。この場合、図７（ｂ）に表したように、第１のパネル１２０ａと第４のパネル１２０ｄとの間の接続体１３０による接続は、第１の枠体１１１に形成されたスルーホール１１１ｂを介して行われる。これによれば、第２のパネル１２０ｂおよび第３のパネル１２０ｃと電源ユニット３０とをつなぐ接続体１３０と、第１のパネル１２０ａと第４のパネル１２０ｄとをつなぐ接続体１３０と、を立体交差させてもよい。
【００６１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６２】
１ 照明付テーブル、  １０ 照明器具、  ２０ テーブル、  ２１ 固定部材、  ３０ 電源ユニット、  ３１ 電源線、  ３３ コネクタ、  ３４ 収納ケース、  ３５ 陽極、  ３７ 陰極、  ４０ 支持部材、  １００ モジュール、  １０１ 外周部、  １０３ ねじ、  １０５ パッキン、  １１０ 枠、  １１１ 第１の枠体、  １１１ｂ スルーホール、  １１２ 第２の枠体、  １１４ 凹部、  １１４ａ 側壁、  １１５ 上面、  １２０、１２０ａ、１２０ｂ、１２０ｃ、１２０ｄ パネル、  １２１ 第１の基板、  １２１ｃ 主面、  １２１ｄ 第１の側面、  １２１ｅ 第２の側面、  １２２ 第１の電極、  １２２ａ 第１の導電体、  １２４ｄ 絶縁層、  １２５ 第２の電極、  １２５ａ 第２の導電体、  １２６ 第２の基板、  １２７ 発光領域、  １２８ 有機層、  １３０ 接続体、  １５１ 第３の導電体、  １５３ 第４の導電体、  １６１ 第１のカバー部材、  １６２ 第２のカバー部材、  １６５ 外郭部材、  １６５ａ 基部、  １６５ｂ 第１の側部、  １６５ｃ 第２の側部、  １６７ 弾性体
【図１】
2014150005.tif 000003
【図２】
2014150005.tif 000004
【図３】
2014150005.tif 000005
【図４】
2014150005.tif 000006
【図５】
2014150005.tif 000007
【図６】
2014150005.tif 000008
【図７】
2014150005.tif 000009